(57)【要約】【課題】ヘッドキャップの脱着が簡単で狭いスペースでも脱着を容易に行え、ケーシング内部から外部への水漏れを防げ、シール部分の耐圧性を向上させる。【解決手段】ヘッドキャップ３の外周部分に下向きに突出する輪状突出片３ａを設け、輪状突出片３ａの外面にＯリング１３を嵌め入れる周溝３ｂを穿設し、周溝３ｂにＯリング１３を嵌め入れた状態でケーシング２の内面が輪状突出片３ａの外面に当接するようにケーシング２の上部に前記ヘッドキャップ３の輪状突出片３ａを嵌め入れ、ベース１に上向きに突出する輪状突出片１ａを設け、輪状突出片１ａの外面にＯリング１４を嵌め入れる周溝１ｂを穿設し、周溝１ｂにＯリング１４を嵌め入れた状態でケーシング２の内面が輪状突出片１ａの外面に当接するようにケーシング２の下部に前記ベース１の輪状突出片１ａを嵌め入れて浄水器Ｚ内部から外側に水が漏れないようにする。【選択図】      図１
2004330120.tif 000002
【特許請求の範囲】
【請求項１】
浄水器内部を保護するためのケーシングとヘッドキャップとの間及びケーシングとベースとの間を、内部から水漏れしないようにシールした浄水器のシール構造において、前記ヘッドキャップの外周部分に下向きに突出する輪状突出片が設けられ、この輪状突出片の外面にＯリングが嵌め込まれる周溝が穿設されて、この周溝にＯリングが嵌め込まれた状態で、ケーシングの内面が前記輪状突出片の外面に当接するようにケーシングの上部に前記ヘッドキャップの輪状突出片が嵌め込まれるとともに、前記ベースに上向きに突出する輪状突出片が設けられ、この輪状突出片の外面にＯリングが嵌め込まれる周溝が穿設されて、この周溝にＯリングが嵌め込まれた状態で、ケーシングの内面が前記輪状突出片の外面に当接するようにケーシングの下部に前記ベースの輪状突出片が嵌め込まれ、前記浄水器内部から外側に水が漏れないように構成したことを特徴とする浄水器のシール構造。
【請求項２】
前記ヘッドキャップの輪状突出片に複数列の周溝が穿設され、これらの各周溝にＯリングがそれぞれ嵌め込まれるようにした請求項１に記載の浄水器のシール構造。
【請求項３】
前記ベースの輪状突出片に複数列の周溝が穿設され、これらの各周溝にＯリングがそれぞれ嵌め込まれるようにした請求項１又は２に記載の浄水器のシール構造。
【請求項４】
前記ヘッドキャップの外周縁と前記ケーシングの上部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、前記ヘッドキャップと前記ケーシングが取り外し可能に且つ一体的に取り付け固定されるようにした請求項１乃至３のいずれかに記載の浄水器のシール構造。
【請求項５】
前記ベースの外周縁と前記ケーシングの下部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、前記ベースと前記ケーシングが取り外し可能に且つ一体的に取り付け固定されるようにした請求項１乃至４のいずれかに記載の浄水器のシール構造。
【請求項６】
前記ベースの外周縁の突設部分と本体部分との間に周凹溝が形成され、前記断面コ字形の輪状のクランプ治具の下片部がこの周凹溝に入り込むようにした請求項５に記載の浄水器のシール構造。
【発明の詳細な説明】
【０００１】
【発明の属する技術分野】
本発明は、浄水器内部を保護するためのケーシングとヘッドキャップとの間及びケーシングとベースとの間を、内部から水漏れしないようにシールした浄水器のシール構造に関する。
【０００２】
【従来の技術】
従来、この種の浄水器のシール構造は、例えば、図６に示すように、ケーシング１０１の上端を外向き水平方向に鍔状に延設し、この鍔状延設部１０２の上面に周凹溝１０３を穿設し、この周凹溝１０３内に、Ｏリング１０４を入れ込み、ヘッドキャップ１０５の外向き水平方向に延設された鍔状部１０６を前記ケーシング１０１の鍔状延設部１０２に上側から重ね合わせ、この重ね合わせた部分の周縁をクランプ治具１０７の締め付け力で押さえ付けていた。
ところが、このクランプ治具１０７の締め付け力が弱いと、ケーシング１０１の内部の水がこの重ね合わせた部分から外部に漏れるという問題があった。
【０００３】
また、図７に示すように、互いに重ね合わせたケーシング１０１の鍔状延設部１０２とヘッドキャップ１０５の鍔状部１０６を複数個のボルト１０８とナット１０９の螺合によって締め付けするようにしたものもあるが、これも上記と同様に、ボルト１０８とナット１０９の締め付け力が弱いと、ケーシング１０１の内部の水がこの重ね合わせた部分から外部に漏れるという問題があった。
更に、このボルト１０８とナット１０９を使用したものにおいては、ヘッドキャップ１０５をケーシング１０１から脱着するときに、複数個のボルト１０８とナット１０９を螺合したり、外したりしなくてはならないので、手数が掛るという問題があった。
【０００４】
【発明が解決しようとする課題】
本発明は、ヘッドキャップの脱着が簡単で且つ狭いスペースでも脱着を容易に行なうことができ、また、ケーシング内部から外部への水漏れを防ぐことができ、しかもシール部分の耐圧性を向上させることができるようにした上記浄水器のシール構造を提供する事を目的としている。
【０００５】
【課題を解決するための手段】
上記目的を達成するため、請求項１の発明は、浄水器内部を保護するためのケーシングとヘッドキャップとの間及びケーシングとベースとの間を、内部から水漏れしないようにシールした浄水器のシール構造において、前記ヘッドキャップの外周部分に下向きに突出する輪状突出片が設けられ、この輪状突出片の外面にＯリングが嵌め込まれる周溝が穿設されて、この周溝にＯリングが嵌め込まれた状態で、ケーシングの内面が前記輪状突出片の外面に当接するようにケーシングの上部に前記ヘッドキャップの輪状突出片が嵌め込まれるとともに、前記ベースに上向きに突出する輪状突出片が設けられ、この輪状突出片の外面にＯリングが嵌め込まれる周溝が穿設されて、この周溝にＯリングが嵌め込まれた状態で、ケーシングの内面が前記輪状突出片の外面に当接するようにケーシングの下部に前記ベースの輪状突出片が嵌め込まれ、前記浄水器内部から外側に水が漏れないことを発明の基本構成とするものである。
【０００６】
請求項２の発明は、請求項１の発明に於いて、前記ヘッドキャップの輪状突出片に複数列の周溝が穿設され、これらの各周溝にＯリングがそれぞれ嵌め込まれるものである。
請求項３の発明は、請求項１及び請求項２の発明に於いて、前記ベースの輪状突出片に複数列の周溝が穿設され、これらの各周溝にＯリングがそれぞれ嵌め込まれるものである。
【０００７】
請求項４の発明は、請求項１乃至請求項３の発明に於いて、前記ヘッドキャップの外周縁と前記ケーシングの上部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、前記ヘッドキャップと前記ケーシングが取り外し可能に且つ一体的に取り付け固定されるものである。
【０００８】
請求項５の発明は、請求項１乃至請求項４の発明に於いて、前記ベースの上部外周縁と前記ケーシングの下部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、前記ベースと前記ケーシングが取り外し可能に且つ一体的に取り付け固定されるものである。
請求項６の発明は、請求項５の発明に於いて、前記ベースの外周縁の突設部分と本体部分との間に周凹溝が形成され、前記断面コ字形の輪状のクランプ治具の下片部がこの周凹溝に入り込むようにしたものである。
【０００９】
【発明の実施の形態】
以下、本発明に係る浄水器のシール構造の実施の形態について、図を参照しつつ説明する。
図１は本発明の実施形態の浄水器のシール構造を備えた浄水器全体を示す縦断面図、図２は同シール構造のケーシングとヘッドキャップ部分のシール部分を示す要部の拡大断面図、図３は同シール構造のベースとケーシング部分のシール部分を示す要部の拡大断面図、図４は同シール構造におけるケーシングとヘッドキャップの重ね合せ部分及びベースとケーシングの重ね合わせ部分に嵌められるクランプ治具の一部切り欠きした平面図、図５は同シール構造を備えた浄水器の外観を示す正面図である。
【００１０】
先ず、この実施形態の浄水器のシール構造を備えた浄水器の全体の構造について説明する。図１に於いて、１はベース、２はケーシング、３はヘッドキャップであり、浄水器本体は、下部に設けたベース１と、このベース１の上部に取り付けた筒状のケーシング２と、このケーシング２の上部に脱着可能に取付けたヘッドキャップ３とから形成されている。
そして、ケーシング２内には、外側から内部に向けて順に、不織布などからなる濁度フィルター４、繊維状活性炭フィルター５、セラミックフィルター６が配設されている。
【００１１】
前記ケーシング２と濁度フィルター５との間には間隙７が、また濁度フィルター５と繊維状活性炭フィルター５との間には間隙８が、更に繊維状活性炭フィルター５とセラミックフィルター６との間には間隙９が夫々設けられている。
【００１２】
ここで、浄水器内での水道水が浄化される過程について、図１を参照しつつ概略説明する。
水道本管（図示略）からベース１の流入側配管接続部１０を経て浄水器Ｚ内に流入した水は、ベース１の上面に設けられた環状溝１１を経て、ＳＵＳ３０５製板金からなる筒状のケーシング２と不織布などからなる濁度フィルター４との間の環状の間隙７に流入する。間隙７内の水は、間隙７内を上昇するとともに徐々に内側へも流入して濁度フィルター４を通過し、濁度フィルター４と繊維状活性炭フィルター５との間の環状の間隙８へ流入する。間隙８内の水は、間隙８内を上昇するとともに徐々に内側へも流入して繊維活性炭フィルター５を通過し、繊維活性炭フィルター５とセラミックフィルター６との間の環状の間隙９へ流入して上昇する。
【００１３】
濁度フィルター４および繊維活性炭フィルター５を通過し、環状の間隙９を上昇した水は、上方からセラミックフィルター６内を下降してベース１内の中央部分に流入し、このベース１の流出側配管接続部１２を経て水道管（図示略）に流れ込む。
【００１４】
次に、上記のように構成されて水道水が浄化されるようにした浄水器Ｚにおいて、浄水器Ｚ内の水が外部に漏れるのを防ぐようにした本実施形態の浄水器のシール構造について、詳細に説明する。
図１及び図２に示すように、上部に位置するヘッドキャップ３の外周部分に下向きに突出する輪状突出片３ａが設けられ、この輪状突出片３ａの外面にＯリング１３が嵌め込まれる上下２列の周溝３ｂ、３ｂが穿設されている。これら上下２列の周溝３ｂ、３ｂにＯリング１３がそれぞれ嵌め込まれた状態で、ケーシング２の内面が輪状突出片３ａの外面に当接するように、ケーシング２の上部にヘッドキャップ３の輪状突出片３ａが挿着されている。
【００１５】
また、図１及び図３に示すように、ベース１の外周部には上向きに突出する輪状突出片１ａが設けられ、この輪状突出片１ａの外面にＯリング１４が嵌め込まれる上下２列の周溝１ｂ、１ｂが穿設されている。これら上下２列の１ｂ、１ｂ周溝にＯリング１４がそれぞれ嵌込まれた状態で、ケーシング２の内面が輪状突出片１ａの外面に当接するように、ケーシング２の下部にベース１の輪状突出片１ａが挿着されている。
【００１６】
また、ヘッドキャップ３の外周縁３ｃとケーシング２の上部外周縁２ｃとが夫々外向きに突設されていて、両縁端が同一面になるように形成されている。これらの外周縁２ｃ、３ｃには、両者を重ねた状態で、外側から断面コ字形で二つ割りに形成された輪形状のクランプ治具１５が嵌められ、ヘッドキャップ３とケーシング２が取り外し可能に且つ一体的に取り付け固定されるようになっている。更に、ベース１の外周縁１ｃとケーシング２の下部外周縁２ｄとが夫々外向きに突設されていて、両縁が同一面になるように形成されている。これらの外周縁１ｃ、２ｄには、両者を重ねた状態で、外側から断面コ字形で二つ割りに形成された輪形状のクランプ治具１５が嵌められ、ベース１とケーシング２が取り外し可能に且つ一体的に取り付け固定されるようになっている。しかも、ベース１の外周縁１ｃの突設部分と本体部分との間に周凹溝１ｄが形成され、断面コ字形の輪状のクランプ治具１５の下片部がこの周凹溝１ｄに入り込むようにしている。
【００１７】
このクランプ治具１５は、図４に示すように、一端が開閉可能に枢支された二つ割りの円弧状部１５ａ、１５ａの他端に外向きで水平向きに取付固定片１５ｂ、１５ｂが延設されていて、この取付固定片１５ｂ、１５ｂにボルト挿入孔１５ｃ、１５ｃが穿設されたものである。
そして、互いに重ねられたヘッドキャップ３の外周縁３ｃとケーシング２の上部外周縁２ｃ及びケーシング２の下部外周縁２ｄとベース１の外周縁１ｃとにクランプ治具１５の断面コ字形の両円弧状部１５ａ、１５ａが被さるようにして嵌められて、他端の取付固定片１５ｂ、１５ｂを合わした状態で、ボルト挿入孔１５ｃ、１５ｃに片方からボルト（図示略）が挿入されて他方でナット（図示略）が螺合されることによって、重ね合わせ部分を締め付け固定する。
【００１８】
上記のように構成された浄水器Ｚにおいて、周溝３ｂ、３ｂにＯリング１３が嵌め込まれたヘッドキャップ３の外周部分の輪状突出片３ａが、ケーシング２の上部に嵌め込まれているので、ケーシング２内の水道水がこの部分から外部に漏れることを完全に防止できる。
また、周溝１ｂ、１ｂにＯリング１４が嵌め込まれたベース１の輪状
突出片１ａが、ケーシング２の下部に嵌め込まれているので、ケーシング２内及びベース１内の水道水がこの部分から外部に漏れることを完全に防ぐことができる。
【００１９】
また、Ｏリング１３、１４は、それぞれ上下二列ずつ各周溝１ｂ、１ｂ，３ｂ、３ｂに嵌め込まれているので、漏水防止効果を高めることができる。
更に、ヘッドキャップ３とケーシング２及びケーシング２とベース１とは、夫々二つ割りのクランプ治具１５で取付固定されているので、クランプ治具１５の他端の取付固定片１５ｂ、１５ｂの一箇所を一本のボルトとナットで締め付けだけで取り付けることができる。そのため、ヘッドキャップ３とケーシング２の脱着及びケーシング２とベース１の脱着を夫々簡単に行なうことができ、部品点数も最小限に抑えることができる。
【００２０】
【発明の効果】
以上説明したように、請求項１に記載の発明は、浄水器内部を保護するためのケーシングとヘッドキャップとの間及びケーシングとベースとの間を、内部から水漏れしないようにシールした浄水器のシール構造において、ヘッドキャップの外周部分に下向きに突出する輪状突出片が設けられ、この輪状突出片の外面にＯリングが嵌め込まれる周溝が穿設されて、この周溝にＯリングが嵌め込まれた状態で、ケーシングの内面が輪状突出片の外面に当接するようにケーシングの上部に前記ヘッドキャップの輪状突出片が嵌め込まれるとともに、ベースに上向きに突出する輪状突出片が設けられ、この輪状突出片の外面にＯリングが嵌め込まれる周溝が穿設されて、この周溝にＯリングが嵌め込まれた状態で、ケーシングの内面が輪状突出片の外面に当接するようにケーシングの下部に前記ベースの輪状突出片が嵌め込まれて、浄水器内部から外側に水が漏れないように構成したので、以下に述べる効果を奏する。
即ち、ケーシング内部から外部への水漏れを完全に防ぐことができ、しかもシール部分の耐圧性を向上させることができる。
【００２１】
請求項２に記載の発明は、ヘッドキャップの輪状突出片に複数列の周溝が穿設され、これらの各周溝にＯリングがそれぞれ嵌め込まれるようにしたので、ケーシング内からの漏水防止効果をより一層高めることができる。
請求項３に記載の発明は、ベースの輪状突出片に複数列の周溝が穿設され、これらの各周溝にＯリングがそれぞれ嵌め込まれるようにしたので、これら複数のＯリングによって、ベース及びケーシング内からの外部への漏水をより一層防止することができる。
【００２２】
請求項４に記載の発明は、ヘッドキャップの外周縁とケーシングの上部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、ヘッドキャップとケーシングが取り外し可能に且つ一体的に取り付け固定されるようにしたので、ケーシングに対するヘッドキャップの脱着を容易に行なうことができる。
【００２３】
請求項５に記載の発明は、ベースの外周縁とケーシングの下部外周縁が外向きに突設されて両縁端が同一面になるように形成され、これらの外周縁が重ねられた状態で、外側から断面コ字形で二つ割りに形成された輪形状のクランプ治具が前記上下に重ねられた両外周縁に嵌められ、ベースとケーシングが取り外し可能に且つ一体的に取り付け固定されるようにしたので、ベースに対するケーシングの脱着を容易に行なうことができる。
【００２４】
請求項６に記載の発明は、ベースの外周縁の突設部分と本体部分との間に周凹溝が形成され、断面コ字形の輪状のクランプ治具の下片部がこの周凹溝に入り込むようにしたので、ベースに対するクランプ治具の納まり状態をよくすることができる。
【図面の簡単な説明】
【図１】本発明に係る浄水器のシール構造を備えた浄水器全体を示す縦断面図である。
【図２】同シール構造のケーシングとヘッドキャップ部分のシール部分を示す要部の拡大断面図である。
【図３】同シール構造のベースとケーシング部分のシール部分を示す要部の拡大断面図である。
【図４】同シール構造におけるケーシングとヘッドキャップ及びベースとケーシングの重ね合わせた部分に嵌められるクランプ治具の一部切り欠きした平面図である。
【図５】同シール構造を備えた浄水器の外観を示す正面図である。
【図６】従来の浄水器のシール構造の第１例を示す概略部分断面図である。
【図７】従来の浄水器のシール構造の第２例を示す概略部分断面図である。
【符号の説明】
Ｚ              浄水器
１              ベース
１ａ            輪状突出片
１ｂ            周溝
１ｃ            外周縁
１ｄ            周凹溝
２              ケーシング
２ｃ            上部外周縁
２ｄ            下部外周縁
３              ヘッドキャップ
３ａ            輪状突出片
３ｂ            周溝
３ｃ            外周縁
４              濁度フィルター
５              繊維状活性炭フィルター
６              セラミックフィルター
７              間隙
８              間隙
９              間隙
１０            流入側配管接続部
１１            環状溝
１２            流出側配管接続部
１３            Ｏリング
１４            Ｏリング
１５            輪形状のクランプ治具
１５ａ          二つ割りの円弧状部
１５ｂ          取付固定片
１５ｃ          ボルト挿入孔
【図１】
2004330120.tif 000003
【図２】
2004330120.tif 000004
【図３】
2004330120.tif 000005
【図４】
2004330120.tif 000006
【図５】
2004330120.tif 000007
【図６】
2004330120.tif 000008
【図７】
2004330120.tif 000009